(57)【要約】【課題】家庭でも適度に温かくて、芳香性も有効に付与可能なおしぼりを簡単に作れるようにする。【解決手段】洗濯槽内に仕上剤を投入可能な仕上剤投入手段と、前記洗濯槽内に設けられ洗浄水を加熱する温水ヒータを備えるとともに、少なくとも洗い、すすぎ、脱水行程を有し、そのうちのすすぎ行程では洗浄水を前記温水ヒータにて加熱するとともに、前記仕上剤を投入するようにしたおしぼり洗浄コースを有するものにおいて、前記すすぎ行程における仕上剤の投入は、洗浄水を前記温水ヒータにより所定温度まで加熱した後、該ヒータが断電した状態のもとに実行するようにした構成とする。【選択図】  図１
2004167064.tif 000002
【特許請求の範囲】
【請求項１】
水槽内に回転槽を具備してなる洗濯槽と、この洗濯槽内に洗浄水を供給する給水手段と、前記洗濯槽内に仕上剤を投入可能な仕上剤投入手段と、前記洗濯槽内に設けられ洗浄水を加熱する温水ヒータとを備え、少なくとも洗い、すすぎ、脱水行程を有し、且つそのすすぎ行程では洗浄水を前記温水ヒータにて加熱するとともに、前記仕上剤を投入するようにしたおしぼり洗浄コースを有するものにおいて、
前記すすぎ行程における仕上剤の投入は、洗浄水を前記温水ヒータにより所定温度まで加熱した後、該ヒータの断電状態にて実行するようにしたことを特徴とする洗濯機。
【請求項２】
おしぼりの出来上がり温度を選択設定可能とし、この出来上がり温度の設定に応じてすすぎ行程時の温水ヒータ断電後のすすぎ時間を可変できるようにしたことを特徴とする請求項１記載の洗濯機。
【請求項３】
洗濯槽内に温風を供給可能とした乾燥機能を備え、脱水行程終了から所定時間が経過する間に洗濯槽内の温度が所定温度以下となったとき、前記乾燥機能を駆動した乾燥運転を行なうようにしたことを特徴とする請求項１記載の洗濯機。
【発明の詳細な説明】
【０００１】
【発明の属する技術分野】
本発明は、手拭きなどに使われるおしぼりを作るための洗浄コースを備えた洗濯機に関する。
【０００２】
【従来の技術】
昨今、リラクゼーションや、美容のためのカイロプラティック、エステティックサロン、カットサロン等でおしぼりが使用される率が高まり、その影響を受けて一般家庭でも簡単におしぼりを作りたいとの要望が出てきており、特に蒸しタオルとしても利用できる温かいおしぼりの要望が強い。
従来、この種のおしぼりを作るための装置としては、例えば電解水を用いて６０°Ｃ程度に加温した強アルカリ性水にて本洗浄を行ない、続くすすぎ行程では常温による強酸性水を用いて除菌も可能としたおしぼり用洗浄装置が提案されている（例えば、特許文献１参照）。
【０００３】
【特許文献１】
特開平１１−１８９９０号公報（第４，５頁、図３）
【０００４】
【発明が解決しようとする課題】
ところが、上記手段では確かに除菌洗浄としては有効であるものの、複数回（２回）のすすぎが常温の洗浄水にて行なわれるため、出来上がったおしぼりは常に冷えたものとなる。従って、リラクゼーションや美容に有効な温かくて芳香性を付与したおしぼりを得るには適さない。
【０００５】
本発明は、上述の事情に鑑みてなされたものであり、従ってその目的は、家庭でも適度に温かくて芳香性も有効に付与可能なおしぼりを簡単に作ることができる洗濯機を提供するにある。
【０００６】
【課題を解決するための手段】
上記目的を達成するために、本発明の洗濯機は、水槽内に回転槽を具備してなる洗濯槽と、この洗濯槽内に洗浄水を供給する給水手段と、前記洗濯槽内に仕上剤を投入可能な仕上剤投入手段と、前記洗濯槽内に設けられ洗浄水を加熱する温水ヒータとを備え、少なくとも洗い、すすぎ、脱水行程を有し、且つそのすすぎ行程では洗浄水を前記温水ヒータにて加熱するとともに、前記仕上剤を投入するようにしたおしぼり洗浄コースを有するものにおいて、前記すすぎ行程における仕上剤の投入は、洗浄水を前記温水ヒータにより所定温度まで加熱した後、該ヒータの断電状態にて実行するようにしたことを特徴とする（請求項１の発明）。
【０００７】
斯かる構成によれば、温かいおしぼりを作ることができるとともに、芳香剤などの仕上剤成分が温水ヒータにて直接加熱されるのを回避し得て、仕上剤の含有成分等が変質したり効能低下などの憂いを解消でき、仕上がり良好なおしぼりを提供できる。
【０００８】
そして、請求項１記載のものにおいて、おしぼりの出来上がり温度を選択設定可能とし、この出来上がり温度の設定に応じてすすぎ行程時の温水ヒータ断電後のすすぎ時間を可変できるようにしたことを特徴とする（請求項２の発明）。
【０００９】
斯かる構成によれば、おしぼりの温かい出来上がり温度は、冷却効果を奏する温水ヒータ断電後のすすぎ時間を可変することで、容易で且つ所望温度のおしぼりを簡易に作ることができる。
【００１０】
また、請求項１記載のものにおいて、洗濯槽内に温風を供給可能とした乾燥機能を備え、脱水行程終了から所定時間が経過する間に洗濯槽内の温度が所定温度以下となったとき、前記乾燥機能を駆動した乾燥運転を行なうようにしたことを特徴とする請求項１記載の洗濯機。
【００１１】
斯かる構成によれば、おしぼり完成後に直ちに使用しない場合など、乾燥機能を駆動させて洗濯槽内におしぼりを温めながら保管でき、おしぼりが冷えるのを抑えて常に温かいおしぼりを取り出すことができる。
【００１２】
【発明の実施の形態】
以下、本発明をドラム式の乾燥機能付洗濯機に適用して示す一実施例につき、図１〜図５を参照して説明する。
まず、図２に示すドラム式の乾燥機能付洗濯機全体の概略構成につき説明すると、外殻を形成する矩形の筐体１を構成する前面の略中央部には、洗濯物出入口２が形成され、これを開閉するドア３が回動自在に設けられている。
この筐体１の内部には、貯水及び排水可能な水槽４を弾性支持している。この水槽４は、その下方部分を左右２個（図２中１個のみ図示）で一対とする弾性支持装置５により弾性支持された横軸円筒状をなし、具体的には軸方向が若干前方に上昇傾斜する構成にあって、その前面の大きな開口部には前記洗濯物出入口２との間に筒状のベローズ６が水密に連結されている。
【００１３】
そして、斯かる水槽４の内部には、回転可能な回転槽として本実施例ではドラム７を水槽４と同軸状に配設している。このドラム７は、やや傾斜する横軸周りに支承され、内部に衣類やおしぼり等の洗濯物（いずれも図示せず）を収容するとともに、その前面の大きな開口部以外の胴部や後壁部に多数の透孔７ａを有し、また胴部の内周面には洗濯物掻き上げ用のバッフル７ｂを複数個（図１中に１個のみ図示）備えている。
斯くして、上記貯水可能な水槽４と、洗濯物を収容し洗い運転や脱水運転及び乾燥運転に共用の回転槽として機能するドラム７とで、所謂一つの洗濯槽として構成され機能するものである。
【００１４】
また、上記水槽４の後壁部の外面には、ドラム７を回転駆動する駆動モータ８を中央部に配設している。この駆動モータ８は、例えば、アウターロータ形で内側のステータ８ａを水槽４の後壁部に取付固定し、その外側に配されたロータ８ｂに回転軸９が直結され、該回転軸９は水槽４の後壁部を軸受装置１０を介して水密に貫通し、その前端部に上記ドラム７の後壁部が連結固定されている。この駆動モータ８は、周知のインバータ制御等により回転速度を可変とし、上記洗い、脱水、乾燥等の各運転に対応してドラム７を回転駆動する。
【００１５】
更には、上記水槽４の内底面の最低部位には、下方に突出した凹陥部１１が形成されていて、この内部には洗浄水加熱用の温水ヒータ１２を配設するとともに、該凹陥部１１の後方部位には電動式の排水弁１３を介して排水管路１４が連通接続され、水槽４内の洗浄水等を排水可能としている。
一方、水槽４の後壁の下部に連通して後述する除湿用の熱交換器１５と、この熱交換器１５の上端部である下流側に位置する送風機１６、及び続いて乾燥ヒータ１７を順に介して、その先端部が水槽４の上部前端部に連通接続し、従ってドラム７に連通してなる循環路１８が形成されている。この循環路１８は、乾燥運転時に上記送風機１６及び乾燥ヒータ１７等を経た温風をドラム７内に供給するもので、本実施例では温風を繰り返し供給可能とした、つまり温風を循環供給する乾燥機能を備えた構成を示している。
【００１６】
ここで、上記熱交換器１５の構成につき述べると、これは縦長の中空筒状の器体ケース１９と、この器体ケース１９内の上部に水冷手段としての注水器２０を備え、この注水器２０は図示しないが複数の散水孔を有し、前記筐体１内の上部に配設され熱交換器用の給水弁２１（以下、熱交給水弁と称す）を介して給水制御され、必要時に散水状態に注水可能とした構成にある。
【００１７】
従って、乾燥運転時における乾燥作用につき述べると、ドラム７及び水槽４を経て排出された多くの湿気を含んだ排気（温風）が器体ケース１９内に流入すると、その下部から上方へ流れる温風に対し、上方の注水器２０からの注水による水とが衝突して拡散混合する。この結果、温風は冷却され水分は、この熱交換作用にて凝縮され滴下して水槽４底部の前記排水弁１３及び排水管路１４を経て機外に排出される。
このようにして、除湿された温風は送風機１６及び乾燥ヒータ１８を順に介して改めて温風化され、再び水槽４及びドラム７内に供給されるもので、循環路１８を介して温風が循環供給され、ドラム７内の図示しない洗濯物を効率良く乾燥するものである。
【００１８】
また、上記熱交給水弁２１は、水道等の給水源に接続された電磁式の開閉弁構成にあるが、これと同様の給水弁を他に２個設けている。そのうちの一つは、水槽４内に洗浄するに必要な洗浄水を供給するための主給水弁２２であって、これは例えば洗剤受容器２３を介して水槽４内に連通した主たる給水路を構成しており、洗い運転時に洗剤受容器２３に予め供給された洗剤を給水動作に併せて水とともに投入する手段として機能する。
【００１９】
他の一つは、柔軟仕上剤や芳香剤等の仕上剤を投入可能とした給水弁２４（以下、仕上剤給水弁と称す）であって、水槽４に対し仕上剤受容器２５を介して連通接続されており、すすぎ行程時に該仕上剤受容器２５に予め供給された仕上剤を給水動作に併せて投入するようにしたもので、詳細は後述するが、これは洗浄水を給水するためのものではなく仕上剤を投入する手段として機能する。尚、洗剤や仕上剤は上記した夫々の受容器２３，２５に対して、自動的に供給可能とした投入装置を設けても良いし、また上記各給水弁２１，２２，２４は三方向の用途に個々に切替制御可能であれば一つの弁構成としても良い。
【００２０】
その他、図２中に示す筐体１内の前方上部には操作部２６が設けられ、これには使用者が希望する運転コースや具体的な洗濯条件を選択設定できるキースイッチ２７や、図示しないが動作状態等をＬＥＤにて点灯表示する表示部等を有しており、また下方部には制御部２８が設けられている。
この制御部２８は、図３に示す電気的構成図に基づき説明すると、マイクロコンピュータや各種駆動回路を有し上記キースイッチ２７による操作信号等を入力し、予め記憶された制御プログラムに基づき洗濯機全般の運転を自動的に制御するもので、その他水位検出手段２９からの水位検知信号の入力をはじめ、前記ドア３の開閉に応答するドアスイッチ３０や、前記水槽４の下部に配設された温度センサ３１などの検知信号が入力される。そして、これらの入力や制御プログラムに基づき前記駆動モータ８をインバータ制御により駆動するとともに、前記した主給水弁２２、仕上剤給水弁２４、熱交給水弁２１、温水ヒータ１２、排水弁１３、乾燥機能を構成する送風機１６及び乾燥ヒータ１７をはじめ、運転終了等を報知するブザー３２に駆動制御信号を与えるようにしている。
【００２１】
次に、上記構成の洗濯機の作用につき述べる。
まず、通常の衣類などを洗濯する場合には、使用者が操作部２６のキースイッチ２７を操作して所望の運転コースや洗濯条件等を選択設定し、例えば一般的な「標準コース」を設定してスタート操作することにより運転が開始される。その運転内容は、一般周知につき詳細な説明は省略するが、洗濯物容量検知手段（図示せず）に基づき決定された必要な洗剤量や水量が供給された洗い、通常複数回行なわれるすすぎ、そして脱水の各運転行程を、予め記憶された制御プログラムに基づき自動的に進行制御され、その後に必要に応じ乾燥運転が行なわれる。
【００２２】
一方、使用者がおしぼりを作るため洗濯機が有する「おしぼり洗浄コース」を選択設定した場合につき説明する。この「おしぼり洗浄コース」では、おしぼりの出来上がり温度を設定可能にしていて、例えば出来上がり温度が３０°Ｃや４０°Ｃ等の複数の選択条件から、本実施例では３０°Ｃに設定した場合につき、図１，４，５を参照して説明する。
しかるに、上記「おしぼり洗浄コース」としても、基本的には上記した衣類などの洗濯運転と同様に洗い、すすぎ、脱水運転及び必要に応じ乾燥運転が実行される。
但し、具体的にはすすぎ行程以降、おしぼりを作るための独自の運転制御が行なわれるもので、特にすすぎ行程では通常複数回のすすぎ運転が行なわれるが、そのうちの最終すすぎ以降、以下のように運転制御される。
【００２３】
即ち、図１は上記最終すすぎ運転以降の制御内容を示すフローチャートで、また図４は同運転行程と主な電気的構成部品の動作内容を示したもので、これら図面に基づき説明すると、「おしぼり洗浄コース」では図示しないが１回目若しくは２回目のすすぎを終え、３回目のすすぎたる最終すすぎがスタートすると、まず主給水弁２２が開放動作し洗浄水たる水道水が水槽４内に給水開始される（ステップＳ１）。
【００２４】
次いで、ステップＳ２では給水開始から所定時間後、駆動モータ８が駆動制御されドラム７を所定の低回転速度で駆動し（ステップＳ２）、洗濯物たるおしぼりを撹拌しながら水を全体に早期浸透させ浮上がり現象を抑える。しかして、続くステップＳ３で給水量が１０リットル（Ｌ）に達したか否かの確認が水位検出手段２９にて行なわれ、１０Ｌの給水が完了したとの検知信号を受けると、温水ヒータ１２が駆動制御され洗浄水の加熱を開始する（ステップＳ４）。この場合、上記１０Ｌの給水量を得た以降も給水は継続されており、従って水槽４底部の凹陥部１１内の温水ヒータ１２は、確実に水中に没した状態のもとに通電発熱するよう制御される。尚、図１中の「Ｙ」はＹＥＳ，「Ｎ」はＮＯＷの判定を示す。
【００２５】
そして、水槽４内への給水が続く中で、ステップＳ５では予め決定された設定水位に達したか否かが確認され、設定水位となったことが水位検出手段２９にて検知されると、主給水弁２２による給水が停止され（ステップＳ６）、以後洗浄水の加熱とドラム７の回転駆動が継続実行される。次ステップＳ７では、洗浄水の加熱が進行し水温が６５°Ｃ以上になったか監視され、水槽４下部の温度センサ３１がこれを検知すると、ステップＳ８に移行し温水ヒータ１２による加熱が停止され、ドラム７のみ回転駆動されて所謂すすぎ洗いのみが継続して実行される。
【００２６】
この高温状態におけるすすぎ洗いは、殺菌効果を得るために上記６５°Ｃを検知した以後（或は、上記加熱停止以後）、タイマカウントを開始するとともに水温６０°Ｃ以上を維持しているか、及び同水温状態によるすすぎ洗いが例えば１０分間実行されたか、を確認するようにしている（ステップＳ９、及びステップＳ１０）。従って、１０分経過するまでに水温が６０°Ｃを低下するようであれば、温度センサ３１の検知信号を受けて先のステップＳ４にリターンして、温水ヒータ１２を再び駆動制御して再加熱し、高温状態を維持して殺菌効果を得るようにし、また水温が６０°Ｃ以上を維持した状態にあれば積算されたタイマカウントが１０分間をカウントされるまでドラム７の回転駆動によるすすぎが行なわれる。
【００２７】
そして、上記１０分が経過したところで、仕上剤として例えば芳香剤を含んだ柔軟仕上剤が投入される（ステップＳ１１）。この仕上剤の投入は、図２に示したように予め仕上剤受容器２５に柔軟仕上剤が供給された後に、仕上剤給水弁２４が所定時間開放動作して給水が行なわれることにより、この水とともに柔軟仕上剤が水槽４内に投入される。この仕上剤給水弁２４の開放時間は、柔軟仕上げ剤を流すだけの比較的短時間で良く、従ってその新たな給水量も僅かであるとともに、その仕上剤の投入時期は、先の段階で温水ヒータ１２が断電後で水温が６０°Ｃ以上で１０分間を経過した後に行なわれ、従って温水ヒータ１２による加熱作用がない条件のもとに投入されることになる。
【００２８】
しかるに、上記ステップＳ１０の１０分経過後（或はステップＳ８の温水ヒータ断電直後からでも可）にタイマカウントが開始されるとともに、ドラム７の回転駆動が継続される中、ステップＳ１２にて所定の冷却用すすぎ時間が経過したか否かが確認される。この冷却用すすぎ時間とは、上記した６０°Ｃ以上に維持されていた高温度の水温を、ドラム７による撹拌作用により放熱効果を促しつつ、所望するおしぼりの出来上がり温度（詳細は後述する）を得るために設定された時間で、勿論すすぎ洗いとしても有効である。
【００２９】
ここで、上記冷却用すすぎ時間及びおしぼりの出来上がり温度について説明する。図５は、一般的な水温と冷却時間の関係を示したもので、該図面には水温８０°Ｃの温水に対し、（冷却）時間の経過とともに水温が低下する特性曲線を示しており、且つそのうち実線で示す曲線Ａは、例えば夏季などにおける外気温が３０°Ｃの条件下における水温の特性であり、また同破線で示す曲線Ｂは、冬季などの外気温が５°Ｃ程度の低温時の水温特性を示している。従って、この図面からは、冷却時間６０分経過した段階では、曲線Ａでは水温が約２６°Ｃまで下がり、一方曲線Ｂでは約５°Ｃまで低下していることが分かる。このことから、外気温が低い程水温の低下が早く、換言すれば曲線Ｂの温度低下は、曲線Ａに対し短時間で大きく下がることが分かるが、この温度低下に対する時間が所謂冷却用すすぎ時間の基になる。
【００３０】
因みに、この図５には本実施例におけるおしぼりの出来上がり温度が、前記したように予め３０°Ｃに設定された場合につき開示していて、前記ステップＳ１０にて１０分経過後の水温を６０°Ｃとし、これから水温４５°Ｃの水温まで低下させたとき、最終おしぼりの出来上がり温度が約３０°Ｃの温かさとなる場合を表しており、この場合、図中符号ｔ１，ｔ２で示すのが当該冷却時間となる。即ち、出来上がり温度は、後述する最終脱水行程を終えてドラム７から取り出されたときのおしぼり温度（この場合、上記３０°Ｃ）にあって、このおしぼり温度を得るべく最終すすぎでの水温（この場合、上記４５°Ｃ）を想定し、これに必要な冷却時間ｔ１，ｔ２が設定される。
【００３１】
従って、今曲線Ａにおいて、水温６０°Ｃからドラム７による撹拌が行なわれる中で水温４５°Ｃまで低下するには、冷却時間ｔ１としては約１６分（＝３３−１７分）必要であることが分かり、一方曲線Ｂにあっては、冷却時間ｔ２が約８分（＝２０−１２分）必要とするもので、この冷却時間を予め実験等にて確認して設定しておけばよい。尚、本実施例で述べた曲線Ａ，Ｂの各条件を例えば外気温に対応する選択条件として「夏季」，「冬季」を設定し、予め「おしぼり洗浄コース」の運転設定時に設定可能としておくことで、上記外気温に応じた適正な冷却時間が得られる。勿論、更に「夏季」と「冬季」の中間時期の例えば「中間季」等を細区分して設ければ一層精度が向上し、実用に供するに有効であることは明らかである。
【００３２】
このように、ステップＳ１２では冷却時間の監視がなされ、水温が４５°Ｃまで低下するに必要な所定の冷却時間が経過すると、ドラム７の回転駆動は停止され（ステップＳ１３）、また排水弁１３が開放動作して水槽４内の水の排水が開始される（ステップＳ１４）。そして、排水が完了する所定の排水時間を終了すると（ステップＳ１５）、上記排水弁１３を開放した状態のままステップＳ１６に移行し脱水運転が開始される。
即ち、ドラム７が高速回転駆動され、おしぼりとして必要な水分を含む状態まで遠心脱水される。この場合、通常の運転コースにおける衣類等の脱水運転では高脱水率のためおしぼりには不適であることから、この「おしぼり洗浄コース」では通常の脱水時間（例えば、６分）に対し、半分以下の短時間（例えば、２分）とすれば良いし、或はドラム７の回転速度制御とすることでも対応可能である。
【００３３】
しかして、所定時間の脱水が終了すると（ステップＳ１７）、おしぼりが完成したことを使用者にブザー３２にて報知し（ステップＳ１８）、おしぼりを作るための本来的に必要な運転行程を終了する。従って、この終了報知に基づき使用者がドア３を開放し（ステップＳ１９）、ドラム７内のおしぼりを取り出せば、当初設定された出来上がり温度３０°Ｃのおしぼりが得られ、洗濯機は全運転を停止する（ステップＳ２９）。
【００３４】
尚、具体的には全停止（ステップＳ２９）する前に、ドア開（ステップＳ１９）にてドアスイッチ３０がオフ動作しドラム７等の駆動回路は遮断されるが、次のステップＳ２０にて水槽４内の残水の有無を水位検出手段２９にて確認し、残水が有れば排水弁１３が開放動作して排水し、所定時間後に上記ステップＳ２９の全停止により排水弁１３もオフ動作する。また、上記ステップＳ２０にて残水が無ければ、直ちにステップＳ２９に移行し全運転を自動的に停止する。
【００３５】
ところが、先のステップＳ１８にて終了報知され、おしぼりが完成しても使用者の都合等で直ぐに取り出さない場合もあり、このまま放置されれば温度も低下し冷えたおしぼりとなってしまう。そこで、本実施例では乾燥機能を有効活用して当初の出来上がり温度３０°Ｃを維持し、或は少なくとも所望の温かいおしぼりが提供できるように保温状態に維持できるように工夫している。
【００３６】
即ち、終了報知後ドア３が所定時間内に開放されない場合（ステップＳ１９）、これは図４に示す「ドア開なし放置中」に相当し、これを経過するとステップＳ２２に移行し、ドラム７内の温度たる水槽４内の温度が所定温度（例えば、２５°Ｃ）以下か、或は以上の温度を維持しているかの確認がなされる。従って、今２５°Ｃ以上である場合には乾燥ヒータ１７及び送風機１６からなる乾燥機能は停止状態のままステップＳ２３を経てステップＳ１９にリターンし、暫時２５°Ｃ以上が維持される間、ドラム７等は停止した放置状態に置かれる。
【００３７】
やがて、この状態からステップＳ２２にて所定温度（２５°Ｃ）以下となったことを温度センサ３１で検出されると、ステップＳ２４に移行し熱交給水弁２１が開放動作して水槽４の底部からの給水が開始されるとともに、ステップＳ２５の乾燥機能（乾燥ヒータ１７及び送風機１６）が駆動されて温風が水槽４の上部からドラム７内に供給され、またドラム１１も低速回転駆動される（ステップＳ２６）。従って、このような給水、温風、ドラム７の駆動による運転はステップＳ２７にて給水が所定水量（例えば、５Ｌ）に達するまで行なわれ、しかも所定水量に達して熱交給水弁２１の給水が停止（ステップＳ２８）した後も、水槽４内に貯水状態のもとで温風が吹き込まれるので、ドラム７内は温暖な多湿状態となる所謂蒸らし運転が行なわれ、おしぼりを過乾燥としないで適度の保湿状態を維持できるようにしている。
【００３８】
尚、この蒸らし運転では、ドラム７は具体的には間欠駆動（例えば、５分間の停止と３０秒間の正反転駆動）されるとともに、ドラム７内の温度が所定温度（例えば、３２°Ｃ）以上では乾燥ヒータ１７が断電され、過熱状態を回避しつつおしぼりの出来上がり温度（３０°Ｃ）に向けた温度制御が行われる。
また、上記蒸らし運転が長時間続き水槽４内の貯水量が所定以下になれば（ステップＳ２７）、ステップＳ１９にリターンして繰り返し行なわれるステップに基づき熱交給水弁２１を再動作させ、随時給水して蒸らし運転の継続を実行可能としている。
【００３９】
上記実施例によれば、次の効果を有する。
おしぼり洗浄コースにおいて、そのすすぎ行程（複数回行なわれる場合は最終すすぎ）では温水ヒータ１２にて洗浄水を所定温度まで加熱して実行するようにしたので、残された脱水行程を経た後に完成されるおしぼりを温かく作ることができる。しかも、本実施例の如く上記図１のステップＳ７〜Ｓ１０で述べたように、６５°Ｃ以上まで加熱した後、所定温度（例えば、６０°Ｃ）以上を所定時間（例えば、１０分間）維持することで、おしぼりの高温洗浄による殺菌効果を得ることができるとともに、斯かる温水ヒータ１２が断電した状態のもとに柔軟仕上剤を投入するようにしたので、対流作用により仕上剤成分が該温水ヒータ１２に何回も直接接触して加熱される現象を防止でき、従ってそれに含まれる芳香剤成分が変質したり、有効な芳香効果が得られないなどの憂いを解消できる。
【００４０】
また、おしぼりの温かい出来上がり温度は、図５とともに開示したように所望の温度設定に応じて、上記温水ヒータ１２断電後における冷却効果を奏するすすぎ時間を可変することで、容易に所望の温かい温度のおしぼりが得られ家庭でも簡易に作ることができる。加えて、本実施例では夏季や冬季の如き外気温の温度差に基づき、上記冷却用すすぎ時間も異なるため、この外気温の条件を予め選択設定できるようにしたので、常に適正な出来上がり温度のおしぼりを得ることができる。
【００４１】
更には、おしぼりとして適当な保湿状態とするには、最終の脱水行程の運転時間を通常（衣類等）の脱水時間より短時間制御とすることで容易に得られるが、おしぼり完成後に直ちに使用しない場合など、そのまま放置されると自然冷却により冷えてしまう。しかるに、本実施例のように乾燥機能付洗濯機であれば、所定温度以下に低下すると乾燥機能の駆動及びドラム７の間欠駆動による乾燥運転を行なうようにしたので、回転槽としてのドラム７内のおしぼりを冷えないように温めながら保管でき、しかも熱交換器１５の水冷手段を利用して水分を付加した蒸らし運転とすることで、おしぼりが過乾燥となるのを防ぐことができ、従って常に適正な保湿状態に保たれ使用感にも優れ蒸しタオルとしても好適なおしぼりを提供できる。
【００４２】
尚、本発明は上記し且つ図面に示した実施例に限定されるものではなく、例えば横軸形のドラム式洗濯機に代えて、縦軸方向に回転する回転槽及び内底部に撹拌翼を備えた縦軸形の洗濯機でも良いし、また仕上剤投入手段としては給水手段ではなく仕上剤を直接単独投入する機構を採用しても良く、その仕上剤としても芳香剤のみとしても良いなど、実施に際して本発明の要旨を逸脱しない範囲内で種々変更して実施可能である。
【００４３】
【発明の効果】
以上述べたことから明らかなように、本発明の洗濯機は、おしぼり洗浄コースにおいて、すすぎ行程では温水ヒータにて洗浄水を加熱して行なうとともに、その温水ヒータが断電した後に仕上剤を投入するようにした。
これにより、温かいおしぼりを作ることができるとともに、芳香剤などの仕上剤成分が温水ヒータにて直接加熱されるのを回避できるので、仕上剤の含有成分等が変質したり効能低下などの憂いを解消でき、仕上がり良好なおしぼりを作ることができる洗濯機を提供できる。
【図面の簡単な説明】
【図１】本発明の一実施例における要部の制御内容を示すフローチャート
【図２】ドラム式の乾燥機能付洗濯機全体の概略構成を一部破断して示す側面図
【図３】電気的構成図
【図４】要部の洗浄行程図
【図５】水温と冷却時間との関係を示す特性図
【符号の説明】
１は筐体、４は水槽、７はドラム（回転槽）、８は駆動モータ、１２は温水ヒータ、１５は熱交換器、１６は送風機、１７は乾燥ヒータ、１８は循環路、２０は注水器（水冷手段）、２１は熱交給水弁、２２は主給水弁、２４は仕上剤給水弁、及び２８は制御部示す。
【図１】
2004167064.tif 000003
【図２】
2004167064.tif 000004
【図３】
2004167064.tif 000005
【図４】
2004167064.tif 000006
【図５】
2004167064.tif 000007